(57)【要約】【課題】個人認証情報の漏洩の危険を冒すことなく認証処理をなし、データを配信することができるデータ配信装置を提供することを目的とする。【解決手段】データ配信装置は、受信端末からのサービスデータ配信要求信号に応じて認証電話番号を該受信端末に送信し、電話端末からの当該認証電話番号に基づく呼接続に応じて該電話端末との間に通信路を設定すると共に、認証データを生成してこれを該受信端末に送信し、該電話端末からの認証データと当該生成によって得られた認証データとが一致した場合にのみサービスデータを該受信端末に送信する。【選択図】図１
2009118131.tif 000002
【特許請求の範囲】
【請求項１】
受信端末からの配信要求に応じてサービスデータを配信するデータ配信装置であって、
前記配信要求に応じて認証電話番号データを前記受信端末に送信する認証電話番号送信手段と、
前記認証電話番号データが表す認証電話番号に基づく電話端末からの着信呼に応じて前記電話端末との間に通信路を設定する通信路設定手段と、
送信サービス認証データを生成してこれを前記受信端末に送信するサービス認証データ生成送信手段と、
前記通信路を介して前記電話端末からの受信サービス認証データを受信するサービス認証データ受信手段と、
前記送信サービス認証データと前記受信サービス認証データとが一致したと判別した場合にのみサービス認証の判定を下すサービス認証手段と、
前記サービス認証手段が前記サービス認証の判定を下した場合にのみ前記受信端末へ前記サービスデータを配信するデータ配信手段と、を含むことを特徴とするデータ配信装置。
【請求項２】
少なくとも１つのサービス種別識別子の各々に固有の認証電話番号を対応付けて記憶するサービス種別テーブルと、
前記配信要求に含まれているサービス種別識別子を抽出するサービス種別識別子抽出手段と、を含み、
前記認証電話番号送信手段は、前記識別子抽出手段により抽出されたサービス種別識別子に対応する認証電話番号を前記サービス種別テーブルから選択しこれをデータ化して前記認証電話番号データとすることを特徴とする請求項１に記載のデータ配信装置。
【請求項３】
前記配信要求に含まれている前記受信端末の受信端末識別子を抽出する受信端末識別子抽出手段と、
前記認証電話番号と前記受信端末識別子とを対応付けて記憶する認証電話番号テーブルと、を含み、
前記サービス認証データ生成送信手段は、前記着信呼の認証電話番号に対応する受信端末識別子を前記認証電話番号テーブルから選択し当該受信端末識別子に対応する受信端末を送信先の受信端末とすることを特徴とする請求項１に記載のデータ配信装置。
【請求項４】
前記送信サービス認証データと前記認証電話番号とを対応付けて記憶するサービス認証データテーブルを含み、
前記サービス認証手段は、前記着信呼の認証電話番号に対応する送信サービス認証データを前記サービス認証データテーブルから選択してこれと前記受信サービス認証データとが一致しするか否かを判別することを特徴とする請求項１に記載のデータ配信装置。
【請求項５】
前記着信呼から発信元電話端末の電話端末識別子を判別する電話端末識別子判別手段と、
前記データ配信手段によるデータ配信の開始及び終了に応じて当該開始及び終了の時刻を記録する配信時刻記録手段と、
前記電話端末識別子と、前記着信呼の認証電話番号に対応するサービス種別識別子と、前記開始及び終了の時刻と、を対応付けたサービス管理テーブルを生成しこれを出力するサービス管理テーブル生成出力手段と、を更に含むことを特徴とする請求項１に記載のデータ配信装置。
【発明の詳細な説明】
【技術分野】
【０００１】
本発明はサービス受信端末からのサービス要求に応じてデータ配信をなすデータ配信装置に関する。
【背景技術】
【０００２】
近年、公共の場に設置され不特定多数の者が利用可能なサービス情報受信端末が普及しつつある。サービス情報としては例えば、端末設置付近の地図などの画像や、各種サービス案内などの映像及び映像に関する解説などの音声等多くの種類が挙げられる。サービス情報受信端末の利用者は自身が望むサービス情報の種類を当該端末に入力して、サービス情報が格納されている遠隔地のサーバなどに通信網を介して通知する。サーバから当該通知の内容に該当するサービス情報がサービス情報受信端末に配信され、当該端末の画面にサービス情報が表示される。このようにしてサービス情報受信端末の利用者はサービス情報を得ることができる。
【０００３】
例えば特許文献１には、配信先リストに登録されている配信先にネットワークを介して映像データを配信する映像配信端末と、当該ネットワークを介して当該配信リストへの自身のアカウント登録を要求し、当該映像配信端末から映像を受信して表示する映像表示装置と、を有する映像配信システムが開示されている。また、映像表示装置はその操作者にパスワードの入力を促し、当該入力されたパスワードを映像配信端末に通知する手段を有し、映像配信端末は当該通知されたパスワードと登録済みのパスワードを照合し、これらが一致する場合にのみ当該映像表示装置を配信先リストへ登録する手段を有する。
【特許文献１】特開２００７−３６９６５号公報
【発明の開示】
【発明が解決しようとする課題】
【０００４】
しかしながら、公共の場に設置され不特定多数の他者が接触可能な状況下にあるサービス情報受信端末にアカウント名やパスワードを入力する場合には、これらの情報が漏洩してしまう可能性があるという問題があった。すなわち、入力時にアカウント名やパスワードを他人に盗み見られたり、サービス情報受信端末の入力部などに予め設置された読み取り機などによりこれらを読み取られたりする可能性があり、サービスの利用者が個人認証に用いる情報を入力する行為は大きなリスクを背負うものであった。
【０００５】
不特定多数の者にサービス情報を無料で提供する場合には、個人認証は不要と思われるが、有料若しくは特定の個人に対してのみ無料とするサービスを提供する場合、サービスを利用する個人の特定が必要となる。しかしながら、上記したように、個人認証に用いる情報の入力には大きなリスクが伴っていたため、このような形態のサービスを提供することは困難であった。また、個人認証が困難であるため、いかなる利用者がどのようなサービスをどれだけの時間利用したのかを把握することができず、サービスの利用者に対する課金管理を適切に行うことができないという問題もあった。
【０００６】
本発明は上記した如き問題点に鑑みてなされたものであって、個人認証情報の漏洩の危険を冒すことなく認証処理をなし、正当な利用者に対してサービスデータを配信することができるデータ配信装置を提供することを目的とする。また、サービスの利用者を特定し、利用者毎のサービス利用内容に応じて適切に課金できるような情報管理を可能とするデータ配信装置を提供することを目的とする。
【課題を解決するための手段】
【０００７】
本発明によるデータ配信装置は、受信端末からの配信要求に応じてサービスデータを配信するデータ配信装置であって、前記配信要求に応じて認証電話番号データを前記受信端末に送信する認証電話番号送信手段と、前記認証電話番号データが表す認証電話番号に基づく電話端末からの着信呼に応じて前記電話端末との間に通信路を設定する通信路設定手段と、送信サービス認証データを生成してこれを前記受信端末に送信するサービス認証データ生成送信手段と、前記通信路を介して前記電話端末からの受信サービス認証データを受信するサービス認証データ受信手段と、前記送信サービス認証データと前記受信サービス認証データとが一致したと判別した場合にのみサービス認証の判定を下すサービス認証手段と、前記サービス認証手段が前記サービス認証の判定を下した場合にのみ前記受信端末へ前記サービスデータを配信するデータ配信手段と、を含むことを特徴とする。
【発明を実施するための最良の形態】
【０００８】
以下、本発明に係る実施例について添付の図面を参照しつつ詳細に説明する。
【０００９】
図１は本発明によるデータ配信装置１００をサービス受信端末２００及び電話端末３００などと共に表すブロック図である。
【００１０】
データ配信装置１００は、通信事業者網４００を介してサービス受信端末２００と接続されており、サービス受信端末２００からのサービスデータ配信要求に応じることができる。また、データ配信装置１００は通信事業者網４００を介してサービス受信端末２００へサービスデータを配信できる。通信事業者網４００は例えばインターネットであり、この場合、データ配信装置１００とサービス受信端末２００との間ではパケット信号によりサービスデータ配信要求信号の送信及びサービスデータの配信がなされる。ここでのサービスデータは例えば、サービス受信端末２００の設置付近の地図などの画像データや、各種サービス案内などの映像データ及び当該映像に関する解説の音声データなどである。
【００１１】
データ配信装置１００は、電話端末３００との間で呼接続をなし、携帯電話事業者網５００及び公衆電話網６００を介した通信路を設定できる。データ配信装置１００と電話端末３００との間では、当該通信路を介して通常の音声データやＰＢ(Push Button)信号などを送受信できる。
【００１２】
データ配信装置１００は、管理部１０と、サービスデータ配信部２０と、を含む。管理部１０は、信号受信部１１と、呼接続部１２と、制御部１３と、サービス種別テーブル１４と、認証電話番号テーブル１５と、サービス認証番号テーブル１６と、サービス管理テーブル１７と、を含む。
【００１３】
信号受信部１１は、通信事業者網４００と接続されており、サービス受信端末２００からのサービスデータ配信要求信号を受信した場合に、これを制御部１３に与える。
【００１４】
呼接続部１２は、制御部１３からの呼接続指令又は電話端末３００からの呼接続要求に応じて、電話端末３００との間で呼接続をなし、携帯電話事業者網５００及び公衆電話網６００を介した通信路を設定する。
【００１５】
制御部１３は、管理部１０における各種処理を統括して制御する。制御部１３が実行する主な処理は、認証電話番号送信処理、サービス認証番号送信処理及びサービスデータ配信処理である。以下にこれらの処理を表すフローチャート及び各種テーブルを参照しつつ、制御部１３が実行する処理について説明する。
【００１６】
最初に、認証電話番号送信処理ルーチンを表すフローチャートである図２、サービス種別テーブル１４の一例である図３、及び、認証電話番号テーブル１５の一例である図４を参照しつつ、認証電話番号送信処理について説明する。
【００１７】
先ず、制御部１３は、信号受信部１１からサービスデータ配信要求信号を受け取る（ステップＳ１０１）。このサービスデータ配信要求信号は信号受信部１１が通信事業者網４００を介してサービス受信端末２００から受信した信号である。
【００１８】
制御部１３は、サービスデータ配信要求信号に含まれているサービス種別識別子及びサービス受信端末識別子を抽出する識別子抽出手段を有しており、信号受信部１１からサービスデータ配信要求信号を受け取ったときにこれらを抽出する（Ｓ１０２）。
【００１９】
制御部１３は、当該抽出によって得られたサービス種別識別子に対応する認証電話番号をサービス種別テーブルから選択する（Ｓ１０３）。図３に示される如くサービス種別テーブル１４は、映像配信や画像配信などのサービス種別を表すサービス種別識別子と、当該サービス種別識別子の各々に対応付けられた固有の認証電話番号と、を記憶するテーブルである。
【００２０】
同図中の「サービス種別」は映像配信や画像配信などのサービス種別を表している。「サービス種別識別子」はこれらのサービス種別を示す固有の識別子を表している。ここでは、映像配信、画像配信、音声配信のサービス種別に対してそれぞれ、Ａ１、Ａ２、Ａ３のサービス種別識別子が対応付けられている。「認証電話番号」は、サービス種別識別子の各々に対応付けられた固有の認証電話番号を表している。例えば、サービス種別識別子Ａ１には、０３−１２３４−１１０１、０３−１２３４−１１０２、０３−１２３４−１１０３、・・・、の認証電話番号が対応付けられている。通常、これらの情報は、データ配信装置１００の管理者がサービス種別テーブル１４に予め設定する。
【００２１】
制御部１３は、例えば、抽出によって得られたサービス種別識別子がＡ１であった場合、Ａ１に対応付けられている複数の認証電話番号の内のいずれか１つ、例えば０３−１２３４−１１０１を選択する。
【００２２】
続いて、制御部１３は、当該選択によって得られた認証電話番号と抽出によって得られたサービス受信端末識別子との対応を認証電話番号テーブル１５に記憶せしめる。図４に示す如く認証電話番号テーブル１５は、認証電話番号と、サービス受信端末識別子と、当該認証電話番号の有効期限と、を対応付けて記憶する（Ｓ１０４）。
【００２３】
同図中における「認証電話番号」は、制御部１３によって選択された認証電話番号である。「受信端末識別子」は、制御部１３によって抽出されたサービス受信端末識別子である。サービス受信端末識別子は例えば２５５．１２３．１００．００１などＩＰアドレスである。「認証電話番号有効期限」は、認証電話番号の有効期限であり、制御部１３が、認証電話番号を記憶せしめるときに同時に設定する。有効期限としては例えば、当該記憶時刻から１０分後の時刻などである。認証電話番号の有効期限を設定し、有効期限の切れた認証電話番号を他のサービス要求に割り振ることにより、認証電話番号の個数を無制限に増加させる必要がなくなる。
【００２４】
最後に、制御部１３は、サービスデータ配信部２０をして、当該選択によって得られた認証電話番号をサービス受信端末２００へ送信せしめる（Ｓ１０５）。
【００２５】
次に、サービス認証番号送信処理ルーチンを表すフローチャートである図５、サービス認証番号テーブルを表す図である図６を参照しつつ、サービス認証番号送信処理について説明する。
【００２６】
呼接続部１２は、認証電話番号に基づく電話端末３００からの着信呼に応じて通信路を設定すると共に、当該認証電話番号を取得する。制御部１３は、呼接続部１２から着信があった旨の通知を当該認証電話番号と共に受け取る（ステップＳ２０１）。また、呼接続部１２は、当該呼から発信元の電話端末（ここでは電話端末３００）の識別子（以下、電話端末識別子と称する）を抽出する電話端末識別子抽出手段を備え、当該抽出によって得られた電話端末識別子を制御部１３に与える（ステップＳ２０２）。ここでの電話端末識別子とは例えば電話番号などである。
【００２７】
制御部１３は、サービス認証番号を生成するサービス認証番号生成手段を備えており、呼の着信通知に応じてサービス認証番号を生成する（Ｓ２０３）。制御部１３は、当該通知を受ける毎に固有のサービス認証番号を生成する。サービス認証番号に特に制限は無く、例えば１６５８９４７などの番号である。
【００２８】
続いて、制御部１３は、呼接続部１２から着信通知と共に受け取った認証電話番号と、サービス認証番号生成手段によって得られたサービス認証番号と、を対応付けてサービス認証番号テーブルに記憶せしめる（Ｓ２０４）。図６に示す如くサービス認証番号テーブルは、サービス認証番号と認証電話番号とを対応付けて記憶する。
【００２９】
制御部１３は、呼接続部１２へ呼切断指令を与え、呼接続部１２はこれに応じて電話端末３００との間の呼接続を切断する。制御部１３は、呼の切断を確認したら、呼接続部１２に発信元である電話端末３００への呼接続を命じる。呼接続部１２は当該呼接続の命令に応じて電話端末３００へ呼接続要求を発し、電話端末３００との間で呼接続を確立する。
【００３０】
制御部１３は、サービス認証番号送信手段を備えており、サービスデータ配信部をしてサービス受信端末２００へサービス認証番号を送信せしめる（Ｓ２０５）。例えば、図４の認証電話番号テーブル及び図６のサービス認証番号テーブルを例として説明すると、電話端末３００からの呼の認証電話番号が０３−１２３４−１１０１であった場合、制御部１３は、これと一致する認証電話番号に対応付けられているサービス受信端末識別子２５５．１２３．１００．００１を認証電話番号テーブルから選択する。また、制御部１３は、認証電話番号０３−１２３４−１１０１に対応付けられているサービス認証番号１６５８９４７をサービス認証番号テーブルから選択する。これにより、制御部１３は、サービスデータ配信部をしてサービス受信端末識別子２５５．１２３．１００．００１に対応するサービス受信端末２００を送信先としてサービス認証番号１６５８９４７を送信せしめる。
【００３１】
次に、サービスデータ配信処理ルーチンを表すフローチャートである図７、サービス管理テーブルを表す図である図８を参照しつつ、サービスデータ配信処理について説明する。
【００３２】
上述した通り、データ配信装置１００と電話端末３００とは呼接続されており、呼接続部１２は電話端末３００からサービス認証データを受信する。このとき、呼接続部１２はサービス認証データをＰＢ（Push Button）信号の形式で受信する。制御部１３は、呼接続部１２からＰＢ信号を受け取り、これを解析してサービス認証番号を得る（ステップＳ３０１）。
【００３３】
制御部１３は、着信呼の認証電話番号に対応するサービス認証番号をサービス認証データテーブルから選択し、これと電話端末３００からのサービス認証番号とが一致しするか否かを判別する（Ｓ３０２）。例えば、電話端末３００からの呼の認証電話番号が０３−１２３４−１１０１、解析よって得られたサービス認証番号が１６５８９４７であったとする。図６のサービス認証番号テーブルを例として説明すると、制御部１３は、サービス認証番号テーブル内において認証電話番号０３−１２３４−１１０１に対応付けられているサービス認証番号１６５８９４７と、解析よって得られたサービス認証番号１６５８９４７と、が一致することから、サービス認証の判定を下す。反対に、解析よって得られたサービス認証番号が１６５８９４７以外であれば、制御部１３は、サービス認証せず、サービスデータ配信処理を終了する。制御部１３は、サービス認証と判別した場合、電話端末３００との呼接続を切断する（Ｓ３０３）。
【００３４】
図８はサービス管理テーブルを表す図である。同図中の「電話端末識別子」は呼の発信元の電話端末識別子であり、例えば電話番号などである。制御部１３は電話端末識別子を呼接続部１２から受け取る。呼接続部１２は、呼から発信元の電話端末識別子を抽出する電話端末識別子抽出手段を備えており、当該抽出によって得られた電話端末識別子を制御部１３に与える。
【００３５】
「サービス種別識別子」は、図３に示されるサービス種別テーブルにおけるサービス種別識別子と同一の識別子である。制御部１３は、呼の認証電話番号に対応付けられているサービス種別識別子をサービス種別テーブルから選択し、当該選択によって得られたサービス種別識別子をサービス管理テーブルに記憶する。
【００３６】
「サービス配信開始日時」は、映像等のサービス情報の配信開始日時を示している。制御部１３は、サービスデータ配信部２０にサービスデータ配信指令を発した日時をサービス配信開始日時としてサービス管理テーブルに記憶する。
【００３７】
「サービス配信終了日時」は、同サービス情報の配信終了日時を示している。制御部１３は、呼の発信元の電話端末からのサービス配信停止指令若しくはサービスデータ配信部２０からのサービス配信終了通知に応じて、サービスデータ配信停止指令をサービスデータ配信部２０に発すると共に、当該指令を発した日時をサービス配信終了日時としてサービス管理テーブルに記憶する。
【００３８】
再び図７を参照する。制御部１３はサービス認証と判定した場合、サービスデータ配信部２０にサービスデータ配信指令を発すると共に、当該指令を発した日時をサービスデータ配信開始日時としてサービス管理テーブルに記録する（Ｓ３０４）。このとき、制御部１３は、呼の認証電話番号に対応するサービス受信端末識別子を認証電話番号テーブルから選択し、当該サービス受信端末識別子に対応するサービス受信端末を送信先とするようにサービスデータ配信部２０に指示する。また、制御部１３は、呼の認証電話番号に対応するサービス種別識別子をサービス種別テーブルから選択し、当該サービス種別識別子に対応するサービスデータを配信するようにサービスデータ配信部２０に指示する。
【００３９】
サービスデータ配信部２０は、サービスデータ配信指令に応じてサービスデータを配信する（Ｓ３０５）。制御部１３は、サービス受信端末２００からのサービスデータ配信停止指令若しくはサービスデータ配信部２０からのサービスデータ配信終了通知に応じて、サービスデータ配信停止指令をサービスデータ配信部２０に発すると共に、当該指令を発した日時をサービスデータ配信終了日時としてサービス管理テーブルに記憶し（Ｓ３０６）、サービスデータ配信処理を終了する。制御部１３が実行する主な処理についての説明は以上である。
【００４０】
サービスデータ配信部２０は、制御部１３からの指令に応じて、認証電話番号、サービス認証番号、サービスデータをサービス受信端末２００へ送信する。制御部１３は、配信先のサービス受信端末及びサービスデータの種別を制御部１３から指示されており、これに従って配信処理をなす。また、サービスデータ配信部２０は、サービスデータの配信を完了した場合、その旨を制御部１３に通知する。
【００４１】
サービス受信端末２００は、利用者によるサービス要求の入力に応じて、通信事業者網４００を介してサービスデータ配信要求信号をデータ配信装置１００に送信する機能を有する。サービス受信端末２００は、自身を識別可能な固有の識別子であるサービス受信端末識別子及びサービス要求に係るサービス種別を表すサービス種別識別子をサービスデータ配信要求信号に含めて送信する。サービス種別識別子は、ユーザーにより直接入力されるようにしても良いし、ユーザーが動作させたアプリケーションプログラムやＷｅｂサーバとの連携により設定されるようにしても良い。通信事業者網４００がインターネットである場合、サービス受信端末２００は、サービスデータ配信要求信号をパケット信号で送信する。この場合、サービス受信端末識別子はＩＰアドレスであり、サービス受信端末２００はＩＰアドレスをパケット信号のヘッダに格納して送信する。
【００４２】
サービス受信端末２００は、データ配信装置１００からの認証電話番号及びサービス認証番号を受信し、これらの番号を表示部（図示せず）に文字表示する機能を有する。サービス受信端末２００は、データ配信装置１００からのサービスデータを受信し、当該データに基づいて表示部に画像や映像を表示する機能及びサービスデータに基づいてスピーカ（図示せず）から音声を出力する機能を有する。サービス受信端末２００は、例えばＳＩＰ（Session Initiation Protocol）などのプロトコルによりデータ配信装置１００との接続を確立して接続状態を管理する。
【００４３】
電話端末３００は、携帯電話事業者網５００及び公衆電話網６００を介してデータ配信装置１００に呼接続要求を発し、データ配信装置１００との間で通信路を設定する機能を有する。電話端末３００は、プッシュボタンの押下による認証電話番号の入力に応じて、設定されている通信路を経由して当該認証電話番号を表すＰＢ信号をデータ配信装置１００に送信する機能を有する。
【００４４】
以下、サービス受信端末２００の利用者と電話端末３００の利用者とが同一であるとし（以下、単に利用者と称する）、利用者が映像の配信サービスを要望したときのデータ配信装置１００、サービス受信端末２００及び電話端末３００の動作を、図９、１１及び１３のシーケンス図と、図１０、１２、１４及び１５の信号、データ及び指令の送受信経路を表す図と、サービス種別、認証電話番号、サービス認証番号及びサービス管理の各テーブルを適宜参照しつつ説明する。なお、図９〜１５においては、データ配信装置１００が管理部１０及びサービスデータ配信部２０で表されている。また、図１０、１２、１４及び１５においては、送受信される信号、データ及び指令が点線で図示されている。
【００４５】
図９は認証電話番号の送信処理を表すシーケンス図である。図１０はサービス電話信号などの送受信経路を表す図である。以下に、図９及び１０を参照しつつ、認証電話番号の送信処理について説明する。
【００４６】
最初に、利用者は、映像配信サービスのサービス要求をサービス受信端末２００に入力する。サービス受信端末２００は、当該サービス要求の入力に応じて、サービスデータ配信要求信号ＣＬ１をデータ配信装置１００に送信する（ステップＳ４０１）。このとき、サービス受信端末２００は、映像配信サービスのサービス種別を表すサービス種別識別子Ａ１及び自身のサービス受信端末識別子２５５．１２３．１００．００１をサービスデータ配信要求信号ＣＬ１に含めて送信する。
【００４７】
管理部１０は、サービス受信端末２００からのサービスデータ配信要求信号ＣＬ１を受信し、これに含まれているサービス種別識別子Ａ１及びサービス受信端末識別子２５５．１２３．１００．００１を抽出する（Ｓ４０２）。管理部１０は、サービス種別識別子Ａ１に対応付けられている認証電話番号０３−１２３４−１１０１を図３に示されるサービス種別テーブルから選択する（Ｓ４０３）。管理部１０は、認証電話番号０３−１２３４−１１０１とサービス受信端末識別子２５５．１２３．１００．００１との対応を図４に示す如く認証電話番号テーブルに記憶せしめる（Ｓ４０４）。同時に管理部１０は、当該認証電話番号の有効期限２００７／９／２８  １０:３０を設定する。管理部１０は、認証電話番号０３−１２３４−１１０１を、サービス受信端末識別子２５５．１２３．１００．００１に対応するサービス受信端末、すなわち、サービス受信端末２００に送信すべき旨の指令ＴＮをサービスデータ配信部２０に発する（Ｓ４０５）。
【００４８】
サービスデータ配信部２０は、当該指令ＴＮに応じて、０３−１２３４−１１０１の認証電話番号ＮＢをサービス受信端末２００に送信する（Ｓ４０６）。サービス受信端末２００は、認証電話番号ＮＢに基づいて図示せぬ表示部に認証電話番号０３−１２３４−１１０１を文字表示する（Ｓ４０７）。
【００４９】
図１１はサービス認証番号の送信処理を表すシーケンス図である。図１２はサービス認証信号などの送受信経路を表す図である。以下に、図１１及び１２を参照しつつ、サービス認証番号の送信処理について説明する。
【００５０】
利用者は、電話端末３００から認証電話番号０３−１２３４−１２０１宛に電話をかける。電話端末３００は利用者による入力に応じて認証電話番号０３−１２３４−１１０１宛に呼ＣＬ２を発する（ステップＳ５０１）。当該呼ＣＬ２により、電話端末３００と管理部１０との間で呼接続がなされる。
【００５１】
管理部１０は、電話端末３００からの着信呼に基づいて、当該呼の発信元である電話端末３００の電話端末識別子０９０−１２３４-５６７８及び当該呼の宛先である認証電話番号０３−１２３４−１１０１を判別する（Ｓ５０２）。続いて、管理部１０は、サービス認証番号１６５８９４７を生成し（Ｓ５０３）、これと認証電話番号０３−１２３４−１１０１とを対応付けて図６に示す如くサービス認証番号テーブルに記憶する（Ｓ５０４）。
【００５２】
次に、管理部１０は、電話端末３００に呼接続の切断を促すメッセージＭＳを送信する（Ｓ５０５）。利用者は当該メッセージＭＳに応じて呼接続を切断する（Ｓ５０６）。管理部１０は、当該切断を確認したら、電話端末３００へ呼ＣＬ３を発し、電話端末３００との間で呼接続をなす（Ｓ５０７）。管理部１０は、当該呼接続の確立に続いて、サービス受信端末２００へサービス認証番号１６５８９４７を送信すべき旨の指令ＳＣをサービスデータ配信部２０に発する（Ｓ５０８）。
【００５３】
サービスデータ配信部２０は、当該指令ＳＣに応じて、１６５８９４７のサービス認証番号ＳＮをサービス受信端末２００に送信する（Ｓ５０９）。サービス受信端末２００は、認証電話番号ＳＮに基づいて図示せぬ表示部に１６５８９４７を文字表示する（Ｓ５１０）。
【００５４】
図１３はサービス情報の配信処理を表すシーケンス図である。図１４はサービス情報データなどの送受信経路を表す図である。図１５はサービス停止指令などの送受信経路を表す図である。以下に、図１３、１４及び１５を参照しつつ、サービス認証番号の送信処理について説明する。
【００５５】
利用者は、サービス認証番号１６５８９４７をプッシュボタンの押下により電話端末３００に入力する。管理部１０と電話端末３００とは呼接続されており、電話端末３００はプッシュボタンによるサービス認証番号１６５８９４７の入力に応じてＰＢ信号ＰＢを管理部１０に発する（ステップＳ６０１）。
【００５６】
管理部１０は、ＰＢ信号ＰＢを解析してサービス認証番号１６５８９４７を得る。管理部１０は、当該解析によって得られたサービス認証番号１６５８９４７と、図６に示されるサービス認証データテーブルにおける認証電話番号０３−１２３４−１１０１に対応するサービス認証番号１６５８９４７と、が一致することから、管理部１０はサービス認証の判断を下す（Ｓ６０２）。このとき、仮にサービス認証番号が１６５８９４７以外であれば、管理部１０は、サービス認証せず、サービスデータ配信処理を終了する。
【００５７】
管理部１０は、サービス認証と判定した場合、電話端末３００との呼接続を切断する（Ｓ６０３）。続いて、管理部１０は、サービスデータ配信部２０にサービスデータ配信指令ＳＰを発する（Ｓ６０４）。このとき、管理部１０は、認証電話番号０３−１２３４−１１０１に対応付けられているサービス受信端末識別子２５５．１２３．１００．００１を認証電話番号テーブルから選択し、これに対応するサービス受信端末識別子２００を送信先とするようにサービスデータ配信部２０に指示する。また、管理部１０は、認証電話番号０３−１２３４−１１０１に対応付けられているサービス種別識別子Ａ１をサービス種別テーブルから選択し、これに対応する映像サービスデータを配信するようにサービスデータ配信部２０に指示する。管理部１０は、当該指令ＳＰを発した日時２００７／９／２８  １０：２０をサービスデータ配信開始日時として図８に示される如くサービス管理テーブルに記録する（Ｓ６０５）。
【００５８】
サービスデータ配信部２０はサービスデータ配信指令ＳＰに応じて映像サービスデータＳＶの配信を開始する（Ｓ６０６）。管理部１０は、サービス受信端末２００からのサービス配信停止指令ＳＯ若しくはサービスデータ配信部２０からのサービス配信終了通知ＥＤ（Ｓ６０７）に応じて、サービスデータ配信停止指令ＳＴをサービスデータ配信部２０に発する（Ｓ６０８）。制御部１３は、当該指令ＳＴを発した日時２００７／９／２８  １０：３５をサービスデータ配信終了日時として図８に示される如くサービス管理テーブルに記録し（Ｓ６０９）、サービスデータ配信処理を終了する。
【００５９】
データ配信装置１００は、利用者からのサービス要求がある毎に上記したのと同様の処理を実行する。制御部１３は、上記した処理により生成したサービス管理テーブルを出力するサービス管理情報生成出力手段を備え、データ配信装置１００の管理者からの出力指令に応じて、図８に示す如きサービス管理テーブルを出力する。
【００６０】
上記した如く本実施例によるデータ配信装置は、サービス受信端末からのサービスデータ配信要求信号に応じて、認証電話番号をサービス受信端末に送信する。データ配信装置は、電話端末からの当該認証電話番号に基づく呼接続に応じて電話端末との間に通信路を設定すると共に、サービス認証番号を生成してこれをサービス受信端末に送信する。データ配信装置は、電話端末からのサービス認証番号を受信し、当該サービス認証番号と、生成によって得られたサービス認証番号と、が一致した場合にのみサービスデータをサービス受信端末に送信する。これにより、個人のアカウント及びパスワードを公共の場に設置されたサービス受信装置に入力することから生じる個人認証情報の漏洩の危険を冒すことなく認証処理をなし、正当な利用者に対してサービスデータを配信することができる。
【００６１】
サービス管理テーブルには電話端末識別子(電話番号)が記憶されており、データ配信装置の管理者は、これに基づいてサービスの利用者を特定することができる。また、電話端末識別子にはサービス種別識別子とサービスデータ配信開始及び終了時刻とが対応付けられており、管理者はこれらの情報に基づいて利用者毎のサービス利用内容に応じて適切に課金できるような情報管理が可能となる。
【００６２】
本実施例は、サービス認証データを１６５８９４７などのサービス認証番号とした場合の例であり、データ配信装置がサービス認証番号をサービス受信装置に送信し、サービスの利用者がプッシュボタンの押下によりサービス認証番号をＰＢ信号としてデータ配信装置に通知することにより認証処理を実現したが、認証処理は他の手段によってなされても良い。
【００６３】
例えばデータ配信装置は、サービス認証データとして正方形の点を縦横に並べたマトリックス型の２次元コードであるＱＲ（Quick Response）コードなどの画像データをサービス受信装置に送信し、サービスの利用者がサービス受信装置の表示部に表示されたＱＲコードを、電話端末に付属されているカメラの撮像機能により撮像して、得られた画像データをデータ配信装置に送信することにより、認証処理を実現しても良い。
【００６４】
この場合、制御部１３は電話端末からの画像データの入力に応じて、当該画像データを解析する画像データ解析手段を含み、当該解析の結果に基づいてサービス認証の判断をなす。サービス認証データとして認証番号に比較して情報量の多いＱＲコードなどを利用することにより、認証処理をより厳密に行うことができる。カメラによる撮像はプッシュボタン押下によるサービス認証番号の入力に比較して操作手順が簡単なため、サービス提供時における利用者の操作性及び利便性を向上させることができる。
【図面の簡単な説明】
【００６５】
【図１】本発明によるデータ配信装置を表すブロック図である。
【図２】認証電話番号送信処理ルーチンを表すフローチャートである。
【図３】サービス種別テーブルの一例を表す図である。
【図４】認証電話番号テーブルを表す図である。
【図５】サービス認証番号送信処理ルーチンを表すフローチャートである。
【図６】サービス認証番号テーブルを表す図である。
【図７】サービスデータ配信処理ルーチンを表すフローチャートである。
【図８】サービス管理テーブルを表す図である。
【図９】認証電話番号の送信処理を表すシーケンス図である。
【図１０】サービス電話信号などの送受信経路を表す図である。
【図１１】サービス認証番号の送信処理を表すシーケンス図である。
【図１２】サービス認証信号などの送受信経路を表す図である。
【図１３】サービス情報の配信処理を表すシーケンス図である。
【図１４】サービス情報データなどの送受信経路を表す図である。
【図１５】サービス停止指令などの送受信経路を表す図である。
【符号の説明】
【００６６】
１００  データ配信装置
１０  管理部
１１  信号受信部
１２  呼接続部
１３  制御部
１４  サービス種別テーブル
１５  認証電話番号テーブル
１６  サービス認証番号テーブル
１７  サービス管理テーブル
２０  サービスデータ配信部
２００  サービス受信端末
３００  電話端末
４００  通信事業者網
５００  携帯電話事業者網
６００  公衆電話網
【図１】
2009118131.tif 000003
【図２】
2009118131.tif 000004
【図３】
2009118131.tif 000005
【図４】
2009118131.tif 000006
【図５】
2009118131.tif 000007
【図６】
2009118131.tif 000008
【図７】
2009118131.tif 000009
【図８】
2009118131.tif 000010
【図９】
2009118131.tif 000011
【図１０】
2009118131.tif 000012
【図１１】
2009118131.tif 000013
【図１２】
2009118131.tif 000014
【図１３】
2009118131.tif 000015
【図１４】
2009118131.tif 000016
【図１５】
2009118131.tif 000017